(57)【要約】【課題】従来の携帯電話等の携帯端末では、携帯端末に届いている電子メールや、留守番電話の録音情報が存在する旨の情報等は、ユーザが気づかない場合も多かった。【解決手段】本発明は、外部から情報を受信する通信装置と情報出力装置を有する情報処理システムにおいて、通信装置と情報出力装置の位置関係が一定の条件を満たす場合に、通信装置が受信した情報に関する情報が情報出力装置に送信され、出力される情報処理システムであり、かかる情報処理システムにより、通信装置に届いている情報について、ユーザに気づかせてくれる。【選択図】　図２
2004070701.tif 000002
【特許請求の範囲】
【請求項１】
外部から情報を受信する通信装置と情報出力装置を有する情報処理システムにおいて、
前記通信装置と前記情報出力装置の位置関係が一定の条件を満たす場合に、
前記通信装置が受信した情報に関する情報が前記情報出力装置に送信され、出力される情報処理システム。
【請求項２】
請求項１記載の情報処理システムを構成する通信装置。
【請求項３】
請求項１記載の情報処理システムを構成する情報出力装置。
【発明の詳細な説明】
【０００１】
【発明の属する技術分野】
本発明は、情報を送受信する情報処理システムとそれらを構成する通信装置等に関するものである。
【０００２】
【従来の技術】
従来、テレビという大画面を有する表示装置に、家庭内の電子機器の種々の情報を表示させる技術はあった。かかる技術において、ユーザは、意識して大画面のテレビに情報を送信して表示させるものであった。
【０００３】
また、携帯電話等の小画面の携帯端末が普及してきている。ユーザは、かかる携帯端末で電子メールの送受信を行ったり、電話を利用して情報交換したりしている。
【０００４】
【発明が解決しようとする課題】
しかしながら、上記の従来技術では、携帯端末に届いている電子メールや、留守番電話の録音情報が存在する旨の情報等は、ユーザが気づかない場合も多かった。
【０００５】
【課題を解決するための手段】
以上の課題を解決するために、本発明は、外部から情報を受信する通信装置と情報出力装置を有する情報処理システムにおいて、通信装置と情報出力装置の位置関係が一定の条件を満たす場合に、通信装置が受信した情報に関する情報が情報出力装置に送信され、出力される情報処理システムであり、かかる情報処理システムにより、通信装置に届いている情報について、ユーザに気づかせてくれる。
【０００６】
【発明の実施の形態】
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
【０００７】
図１は、実施の形態に係る情報処理システムの概念図である。情報処理システムは、通信装置１１と情報出力装置１２を有する。通信装置１１は、例えば、携帯電話である。情報出力装置１２は、例えば、テレビである。本情報処理システムは、携帯電話がテレビに近づいて、両装置の位置関係が一定の条件を満たす場合に、携帯電話が外部から受信し、保持している情報がテレビに送信され、テレビに表示される。
【０００８】
図２は、実施の形態に係る情報処理システムのブロック図である。通信装置１１は、第一情報受信部１１０１、情報保持部１１０２、情報送信部１１０３を有する。情報出力装置１２は、第二情報受信部１２０１、情報出力部１２０２を有する。
【０００９】
第一情報受信部１１０１は、情報を受信する。この情報とは、例えば、電子メールの情報である。しかし、情報の構造やタイプは問わない。第一情報受信部１１０１は、通常、無線通信手段で実現されるが、放送を受信する手段で実現されても良い。
【００１０】
情報保持部１１０２は、第一情報受信部１１０１が外部から受信した情報を保持している。情報保持部１１０２は、不揮発性の記録媒体でも、揮発性の記録媒体でも良い。
【００１１】
情報送信部１１０３は、情報保持部１１０２が保持している情報を送信する。情報送信部１１０３は、常に情報を送信する。情報送信部１１０３は、例えば、ブルートゥース等の無線通信手段で実現され得る。
【００１２】
第二情報受信部１２０１は、通信装置１１から情報を受信する。第二情報受信部１２０１は、例えば、ブルートゥース等の無線通信手段で実現され得る。従って、例えば、第二情報受信部１２０１は、常に情報を送信している情報送信部１１０３からの情報が届いた場合に、当該情報を受信する。
【００１３】
情報出力部１２０２は、第二情報受信部１２０１が受信した情報を出力する。ここでの出力とは、ディスプレイへの表示、スピーカーへの音声出力、およびプリンタへの印字等、またはそれらの組み合わせを言う。情報出力部１２０２は、通常、ディスプレイを含む。
【００１４】
以下、本情報処理システムの代表的な動作について説明する。まず、通信装置１１の動作について説明する。第一情報受信部１１０１は外部から情報を受信する。そして、情報保持部１１０２は、第一情報受信部１１０１が外部から受信した情報を蓄積して、保持している。かかる状態において、情報送信部１１０３は情報保持部１１０２が保持している情報を取得し、繰り返し当該情報を外部に送信する。
【００１５】
次に、情報出力装置１２の動作について説明する。情報出力装置１２の第二情報受信部１２０１は、常に情報を受信できるようになっており、情報を受信すれば、当該情報を出力する。
【００１６】
以下、本実施の形態における情報処理ステムの具体的な動作について図１の情報処理システムの概念図を用いて説明する。まず、第一の例について説明する。図１の通信装置は、いわゆる携帯電話である。そして、情報出力装置は、いわゆるテレビである。携帯電話とテレビは、ブルートゥースの通信手段を持っており、携帯電話は、携帯電話が保持している情報のうち、予め決められた条件に合致する情報を、ブルートゥースを用いて常に外部に送信している。一方、テレビは、ブルートゥースを用いて送信された情報を受信し、出力する。
【００１７】
ここで、携帯電話は、図３に示すメール情報を保持している。このメール情報は、「チェック」「送信者」「内容」「受信日時」を有するレコードを１以上管理している。「チェック」は、メールが開かれたか否かを示す情報であり、チェックが「１」であれば、そのレコードのメールは開かれたことを意味する。「送信者」は、メールを送信した者を識別する情報である。「内容」は、メールの内容であり、「受信日時」は、メールを受信した日時である。
【００１８】
携帯電話は、図３のメール情報から未読のメールの数とメールのアイコン等を常に、繰り返し外部に送信している。ここでは、携帯電話は、未読のメールの数「１」とメールのアイコンと次の操作のためのヘルプ情報を、ブルートゥースを用いて外部に送信している。
【００１９】
そして、ブルートゥースの電波がテレビに届く距離である場合に、テレビは、未読のメールの数「１」とメールのアイコンを受信する。そして、テレビは、図４のような画面を表示する。図４によれば、次の操作のためのヘルプ情報も表示される。そして、ユーザは、表示されたヘルプに従って、「＊」ボタンを押下する。すると、携帯電話から未読のメールの内容「元気にしてる？・・・・・」をテレビに送信する。テレビは、未読のメールの内容を受信し、図５のように表示する。そして、携帯電話では、メールの内容がテレビに送信されたことに対応して、未読の状態から既読の状態になる。つまり、メールの内容「元気にしてる？・・・・・」に対応する「チェック」の値が「１」になる（図６参照）。
【００２０】
次に、図７の情報処理システムの概念図を用いて、第二の例について説明する。第二の例における通信装置も携帯電話であり、情報出力装置はテレビである。そして、テレビから携帯電話に超音波を出力している。携帯電話は、当該超音波に呼応して超音波をテレビに返す構造になっている。そして、超音波のやり取りにより、テレビと携帯電話の間の位置関係が一定の条件を満たすか否かを判断する。ここでの一定の条件とは、テレビと携帯電話の間に障害物がなく、直線距離が５メートル以内である、という条件である、とする。かかる場合、携帯電話を保持するユーザは、テレビの画面に表示された絵や文字をいつでも見ることができる。
【００２１】
上記の状態において、携帯電話は留守番電話の録音がされている、という情報に関する録音存在情報を保持している。この情報は、電話サービス運営会社のサーバ装置からダウンロードされた情報である。なお、録音存在情報は、携帯電話のディスプレイにおいて、電話のアイコンで示される、とする。
【００２２】
かかる状況で、携帯電話のユーザは携帯電話を持って、テレビの画面から５メートル以内の障害物のない位置関係のところにやってきた、とする。次に、テレビは、上記一定の条件を満たすことを判断し、携帯電話に予め決められた情報を保持しているならば、送信するように指示する。ここでの予め決められた情報は、録音存在情報である。
【００２３】
携帯電話は、上記の指示を受信し、保持している録音存在情報をテレビに送信する。録音存在情報は、電話のアイコン、「留守番電話」という文字列、「留守番電話があります」という音声データ、次の動作のためのヘルプ情報を含む、とする。
【００２４】
次に、テレビは、録音存在情報を受信し、出力する。この出力の様子を図８に示す。なお、図８によれば、ヘルプ情報は表示されていない。
次に、テレビは、音声出力が終了した後に、次の動作のためのヘルプ情報を表示する。この表示例を図９に示す。
【００２５】
次に、ユーザは、携帯電話の指定されたボタンを押下する。すると、携帯電話は、サーバ装置に留守番電話の録音されている情報を取得しに行き、その情報をテレビに送る。テレビでは、その留守番電話の録音されている情報を受信し、出力する。この出力の様子を図１０に示す。なお、かかる場合、留守番電話の録音されている情報を携帯電話で出力しても良い。
【００２６】
以上、本実施の形態によれば、情報出力装置と一定の位置関係にある通信装置が存在する場合に、通信装置が保持している情報は自動的に情報出力装置に表示された。かかる処理により、知らず知らずのうちに外部から受信した情報に関する情報が、適切な場所で出力され、通信装置のユーザに気づかせてくれる。外部から受信した情報が電子メールの情報の場合は、例えば、外部から受信した情報に関する情報は、未読の電子メールの存在の有無等である。なお、外部から受信した情報に関する情報は、外部から受信した情報そのものであっても良い。また、電子メール等の情報の中身は、例えば、記念日や、業務スケジュールや、冠婚葬祭の情報や、家人の伝言などである。これらは、緊急性があり、かつ重要である場合が多いので、かかる情報を受信していることを知らせてくれることは特に重要である。
【００２７】
なお、本実施の形態において、通信装置と情報出力装置の間で通信が可能な距離の場合に情報を送受信する例を示したが、かかる場合も、通信装置と情報出力装置の位置関係が一定の条件を満たす場合であると言える。つまり、位置関係が一定の条件を満たすとは、両装置が一定の距離以内のところに存在すること、両装置が情報の送受信が可能であること等、両装置の相対的な位置関係が一定の関係である場合を言う。
【００２８】
また、位置関係が一定の条件を満たすか否かを判断する方法は、上述した例に限られないのは言うまでもない。
また、本実施の形態において、情報出力装置は大画面を有するテレビが好適であるが、情報を出力できればテレビでなくても良い。
また、本実施の形態において、通信装置は携帯電話が好適であるが、携帯電話に限られないのは言うまでもない。
【００２９】
さらに、本実施の形態において説明した通信装置、情報出力装置の動作について、ソフトウェアで実現し、当該ソフトウェアを例えば、サーバ上に置いて、ソフトウェアダウンロードにより当該ソフトウェアを配布しても良い。さらにソフトウェアをＣＤ−ＲＯＭ等の記録媒体に記録して流布しても良い。
【発明の効果】
以上のように、本発明によれば、情報出力装置と一定の位置関係にある通信装置が存在する場合に、通信装置が保持している情報は自動的に情報出力装置に出力できる。
【図面の簡単な説明】
【図１】実施の形態における情報処理システムの概念図
【図２】実施の形態における情報処理システムのブロック図
【図３】実施の形態におけるメール情報の例を示す図
【図４】実施の形態における画面表示例を示す図
【図５】実施の形態における画面表示例を示す図
【図６】実施の形態におけるメール情報の例を示す図
【図７】実施の形態における情報処理システムの概念図
【図８】実施の形態における情報出力例を示す図
【図９】実施の形態における情報出力例を示す図
【図１０】実施の形態における情報出力例を示す図
【符号の説明】
１１　通信装置
１２　情報出力装置
１１０１　第一情報受信部
１１０２　情報保持部
１１０３　情報送信部
１２０１　第二情報受信部
１２０２　情報出力部
【図１】
2004070701.tif 000003
【図２】
2004070701.tif 000004
【図３】
2004070701.tif 000005
【図４】
2004070701.tif 000006
【図５】
2004070701.tif 000007
【図６】
2004070701.tif 000008
【図７】
2004070701.tif 000009
【図８】
2004070701.tif 000010
【図９】
2004070701.tif 000011
【図１０】
2004070701.tif 000012